(57)【要約】      （修正有）【課題】環境に優しい組合せ式ソファーを提供する。【解決手段】組合せ式ソファーは座体１、背もたれ体２、肘掛体３を備える。座体１は座フレーム、座弾性部品、外座カバー、内座カバーを備え、座弾性部品は座フレームの上において、内、外座カバーにより座体１を覆う。背もたれ体２は、背フレーム、背もたれ体２を覆う内、外背カバーを備える。肘掛体３は肘掛フレーム、内、外肘掛カバーからなり、肘掛フレーム内側は少なくとも１個の受止部品５０により、座フレームと背フレームを嵌設して定位し、肘掛フレームはオス嵌合部品５により、背フレームのメス嵌合部品４に嵌設して定位する。これにより各外カバーは交換可能となり、座弾性部品は外フレーム、バネ、内クッションを備え、バネは外フレームと内クッションとの間に掛かる。【選択図】図２
0003152916.tif 000002
【実用新案登録請求の範囲】
【請求項１】
座体、背もたれ体、肘掛体を備え、
前記座体は、座フレーム、座弾性部品、外座カバー、内座カバーを備え、
前記座弾性部品は、前記座フレームの頂点面に定位され、
前記座弾性部品は、外フレーム内には、数個のバネを接続し、
前記座フレーム上方には、座発泡弾性部品を設置し、前記内座カバーにより、前記座フレーム、前記座発泡弾性部品を覆い、さらに前記外座カバーにおより覆い、
前記背もたれ体前上方には、前記背発泡弾性部を設置し、内背カバーにより背フレームと前記背もたれ体を覆い、さらに外背カバーにより覆い、これにより、前記外座カバーと前記外背カバーは交換可能となり、
前記背フレームの両側には、少なくとも１個のオス嵌合部品を設置し、前記各肘掛体は、前記座体と前記背もたれ体両側に接続し、
前記肘掛体は、肘掛フレーム、外肘掛カバー、内肘掛カバーを備え、
前記肘掛フレーム内の表面に近い底端には、数個のＬ字型受止部品を設置し、前記数個の受止部品は、前記座フレームを嵌設して定位し、また前記数個の受止部品は、前記背フレームを嵌設して定位し、
前記肘掛体の肘掛フレーム上には、少なくとも１個のオス嵌合部品を接続し、
前記背もたれ体両側に対応して設置されるメス嵌合部品は、前記肘掛体のオス嵌合部品を嵌設、
前記肘掛フレーム外側は先ず内肘掛カバーにより覆い、次に外肘掛カバーにより覆い、こうして外肘掛カバーは交換可能となることを特徴とする組合せ式ソファー。
【請求項２】
請求項１記載の組合せ式ソファーにおいて、前記オス嵌合部品は、鳩尾部品で、前記メス嵌合部品は鳩尾槽部品で、
前記鳩尾槽部品は、メス板で、しかも前記メス板下端に近い位置には、ストッパー突出棒を備え、これにより前記メス板の上、下端は固定され接合して定位し、
前記メス板中には、少なくとも突出棒を設置し、
前記鳩尾部品は、前板と後板を組合せ、前記後板の中央は、前方へと突出し、前記前板の中央は、後方へと突出し、２個の突出部の間は、数個の接合部品により組合せ、前記前板の周辺は、台形の鳩尾状を形成し、これにより前記後板の上、下端は固定して接合され、定位されることを特徴とする組合せ式ソファー。
【請求項３】
請求項１記載の組合せ式ソファーにおいて、前記座弾性部品の外フレームと内クッションとの間には、バネを接続し、前記内クッションは、トランポリン布であることを特徴とする組合せ式ソファー。
【考案の詳細な説明】
【技術分野】
【０００１】
本考案はソファーに関し、特に組合せ式ソファーに関する。
【背景技術】
【０００２】
ソファーは既に、ごく普遍的な家庭用品の一つである。それは、各リビングルームの形式に合わせるため、一人掛け用、二人掛け用、三人掛け用、或いはより多くの人数用からなる基本的な組合せを備える。しかし、いずれのタイプであろうと、また何人掛け用であろうと、すべては１個のソファー形態である。そのため、大型であれば、当然その体積は大きくなり、専用のエレベーター或いは専用の階段を使わなければリビングルームに運び入れることができず、クレーン車を用いて入れなければならないことさえ起り得る。
一般に、それは背もたれ、座クッション、肘掛などが一体に固定され、１個の巨大な物体になっている。しかも主に、木材を固定して製造するが、木材粘着剤には健康に悪影響を及ぼす化学物質であるメタノールが、いくらかは使われている。この状況においては、ソファーが局部であっても損壊したなら、運搬の不便と輸送にかかる時間と空間コストを考え、廃棄して新しく買い換える例が一般的だが、これでは資源の浪費であり、環境保護の観点からも望ましくない。
本考案は、従来の組合せ式ソファーの上記した欠点に鑑み、健康に悪影響を及ぼすことがなく、運搬の不便とコストを低下させられ、実際のニーズにより符合した物品を提供するためである。
【考案の概要】
【考案が解決しようとする課題】
【０００３】
本考案は、木材の使用量を減らし、座クッションの弾性を拡大し、弾力を調整可能とし、様々なニーズに応じて製造可能とし、座体と背もたれ体はそれぞれ離可能な１個体で、さらに肘掛体を合わせることで、包装と輸送に容易な特色を備え、輸送コストを引き下げることができ、外カバーは取り外し式とすることで、必要に応じて洗浄或いは交換が可能で、ソファー全体を交換する必要を低下させ、しかも各部は、それぞれ交換可能で、座クッションとする座体底には、トランポリンに近いサポート弾性部品を備えるため、使用時には確実にサポートが可能で、これによりソファー上で飛び跳ねても外カバーが傷付き難い組合せ式ソファーを提供することである。
【課題を解決するための手段】
【０００４】
上記課題を解決するため、本考案は下記の組合せ式ソファーを提供する。
組合せ式ソファーは座体、背もたれ体、肘掛体を備え、
該座体は座フレーム、座弾性部品、外座カバー、内座カバーを備え、該座弾性部品は座フレームの上において、内、外ソファーカバーにより座体を覆い、
該背もたれ体は、背フレーム、内、外背カバーを備え、内、外背カバーにより前記もたれ体を覆い、
該肘掛体は肘掛フレーム、内、外肘掛カバーからなり、該肘掛フレーム内側は少なくとも１個の受止部品により、座フレームと背フレームを嵌設して定位し、
該肘掛フレームはオス嵌合部品により、該背フレームのメス嵌合部品に嵌設して定位し、これにより各外カバーは交換可能となり、
該座弾性部品は外フレーム、バネ、内クッションを備え、バネは外フレームと内クッションとの間に掛かる。
【考案の効果】
【０００５】
本考案は、鉄材を運用し、木材の使用を減らす。鉄材は、耐用性が高く、回収し再利用することもできるため、環境に優しい素材である。これにより各部の部品は交換が容易となり、特に外カバーは交換が簡単で、各種の型式を提供可能であるため、季節に合わせて、節句や気分に応じて交換でき、生活に花を添えることができる。そのため、損壊を待って新しいものに交換するなどという必要はなく、非常に高い使用性能を提供することができる。また、洗浄が可能であり、しかも大きく３部分に分かれる構成部材は、分解と組立てが容易であるため、運送と移動に便利である。すなわち、本考案は資源を無駄にせず有効に活用でき、経済的で、健康に害を及ぼす恐れがなく、環境保護の観点からも望ましい。
【図面の簡単な説明】
【０００６】
【図１】本考案の立体図である。
【図２】本考案の立体分解図である。
【図３】図２の座体と背もたれ体の組合せ立体図である。
【図４】本考案受止部品の立体分解図である。
【図５】本考案オス、メス嵌合部品の立体分解図である。
【図６】本考案のメス嵌合部品が、図５に示す状態から１８０度回転した様子を示す立体図である。
【図７】本考案オス、メス嵌合部品組合せ後の立体図である。
【図８】肘掛体の部分部品を開いた状態の立体概略図である。
【図９】本考案肘掛部品の立体概略図である。
【図１０】本考案座弾性部品と底フレームの組合せ上面図である。
【考案を実施するための形態】
【０００７】
図１〜１０に示すように、組合せ式ソファーは、座体１、背もたれ体２、肘掛体３を備える。肘掛体３は、座体１と背もたれ体２の左右両側に、接続して設置する。
【０００８】
図１〜４に示すように、座体１は、座フレーム１１、座弾性部品１２、座発泡弾性部品１３、外座カバー（皮革或いは布）、内座カバーを備える。内座カバーは、図８に示す外肘掛カバー３５、内肘掛カバー３４から構成する。座弾性部品１２は、座フレーム１１の頂点面に定位される。座弾性部品１２は、外フレーム１７、数個のバネ１８、内クッション１９を備える。バネ１８は、外フレーム１７と内クッション１９との間に掛け、内クッション１９は、トランポリン布１９１である（図１０参照）。座弾性部品１２は、外フレーム１７内において、数個のバネ類である弾性部品を接続することができる。座発泡弾性部品１３は、座フレーム１１上方に設置し、内座カバーにより座体１を覆う。内座カバー外は、外座カバーにより覆い、外カバーは交換可能である。内、外カバー間は、マジックテープ（登録商標）３６、３７により接合し、或いは布そのものに粘着性を持たせることができる。
トランポリン布１９１周辺には、少なくとも１個の突起１９２を縫製して接続し、一対の突起１９２間には、フック１９３を定位する。
フック１９３は、少なくとも１個のバネ１８を引っ掛けることができ、一対のバネ１８と１個のフック１９３は、２対１のＶ字型固定形式を形成し、これにより、トランポリン布１９１はより優れた引力を備える。
【０００９】
背もたれ体２は、背フレーム２１、背発泡弾性部品２３、外背カバー(外座カバーと相同)、内背カバー２５(内座カバーと相同)を備える。背もたれ体２は内、外背カバーを備えることで、外背カバーは交換可能となる。背フレーム２１の左右両側には、少なくとも１個のオス嵌合部品５を設置する(図５参照)。
図８、９に示すように、各肘掛体３は、肘掛フレーム３１、外肘掛カバー３５、内肘掛カバー３４を備える。肘掛フレーム３１内側の後方に近い位置には、オス嵌合部品５を設置し、オス嵌合部品５により背もたれ体２のメス嵌合部品４に嵌合する。肘掛体３外は、内肘掛カバー３４、外肘掛カバー３５により覆われ、これにより外肘掛カバー３５は交換可能となる。各肘掛体３底端には、一対の脚６を設置する。肘掛体３の内側面の底端に近い位置には、数個の受止部品５０を設置する。ｕ字状の受止部品５０は、それぞれ座フレーム１１と背フレーム２１の両側底面をそれぞれ嵌設して定位する。
【００１０】
図４に示すように、受止部品５０は、Ｌ字状外観を呈するが、Ｌ字状の長短辺板は限定せず、Ｕ字状とすることができる。受止部品５０は、長辺板部分において、一対のネジ(図示なし。受止部品５０の長辺板上には、一対の孔を、それに対応して設置する)、或いは類似の物体を用い、受止部品５０を肘掛体３の肘掛フレーム３１内側の底に近い位置に固定する。受止部品５０の中央の平板部分をできるだけ地面に接触させる。受止部品５０の反対端は短辺板で、しかも短辺板には、外に向かい傾斜する開口状を呈する。これにより、開口部はいくらか大きくなり、座フレーム１１と背フレーム２１の両側棒を、より便利に挿入し、嵌合できるようになる（図３参照)。受止部品５０の平板部上には、貫通孔５８を開設する。貫通孔５８は、固定に用い、これに定位ネジ５１を通過させ、座フレーム１１と背フレーム２１において固定する。こうして、肘掛部と座部、背もたれ部間は完全に定位され、すべり、揺れを防止し、耐用性を向上させることができる。
【００１１】
図５、６、７、８に示すように、オス嵌合部品５は、鳩尾部品５９で、前板５２、後板５３を備える。前板５２、後板５３は、組み合わせて固定する。後板５３の中央部は、前方へと突出し、突出部５４を形成する。前板５２の中央部は、後方へと突出し、突出部５５を形成する。２個の突出部５４、５５間は、数個の接合部品５６により接続する。オス嵌合部品４は、鳩尾槽部品４９を備える。前板５２の両側周辺は、鳩尾状を呈し、鳩尾部品５９と鳩尾槽部品４９は、上が小さく、下が大きい台形収縮状を呈する。メス嵌合部品４はさらに、メス板４２を備え、メス板４２の両翼部４３は内側へと折れ、薄槽状を形成する。メス板４２の中央部には、少なくとも１個の突出棒４４を設置し、メス板４２の下端に近い位置には、ストッパー突出棒４６を設置する。メス板４２、後板５３の上、下端貫通孔４５、５７に、接続部品或いは固定部品を通過させることにより、メス嵌合部品４、オス嵌合部品５を対応する物件上に定位する。
【００１２】
次に本考案の組合せ方式について説明する。先ず、座体１の座フレーム１１を両側の肘掛体３の受止部品５０(一対を前方に設置する)位置に接触させる。続いて、滑りを防止するための固定ステップを行なう。背もたれ体２の背フレーム２１を、上から下へと滑り入れ、両側のメス嵌合部品４と肘掛体３のオス嵌合部品５を、それぞれ嵌合し相互に接合させる。背もたれ体２の背フレーム２１は、対応する受止部品５０(図示の１個に限定するものではない)中に嵌設、同様に、滑りを防止するための固定ステップを行なう。嵌合部品は、背もたれ体２を固定し、ズレを防止することができる。
【００１３】
本考案は主に、鉄類の材料を運用し、木材の使用を減らす。鉄材は、耐用性が高く、回収し再利用することもできるため、環境に優しい素材である。これにより各部の部品は交換が容易となり、特に外カバーは交換が簡単で、各種の型式を提供可能であるため、季節に合わせて、節句や気分に応じて交換でき、生活に花を添えることができる。そのため、損壊を待って新しいものに交換するなどという必要はなく、非常に高い使用性能を提供することができる。また、洗浄が可能であり、しかも大きく３部分に分かれる構成部材は、分解と組立てが容易であるため、運送と移動に便利である。すなわち、本考案は資源を無駄にせず有効に活用でき、経済的で、健康に害を及ぼす恐れがなく、環境保護の観点からも望ましい。
【符号の説明】
【００１４】
１      座体
１１    座フレーム
１７    外フレーム
１８    バネ
１９    内クッション
１９１    トランポリン布
１９２    突起
１９３    フック
１２    座弾性部品
１３    座発泡弾性部品
２      背もたれ体
２１    背フレーム
２３    背発泡弾性部品
３      肘掛体
３１    肘掛フレーム
３４    内肘掛カバー
３５    外肘掛カバー
３６、３７    マジックテープ（登録商標）
４      メス嵌合部品
４２    メス板
４３    両翼部
４４    突出棒
４５    貫通孔
４６    ストッパー突出棒
４９    鳩尾槽部品
５      オス嵌合部品
５０    受止部品
５１    定位ネジ
５２    前板
５３    後板
５４    突出部
５５    突出部
５６    接合部品
５７    貫通孔
５８    貫通孔
５９    鳩尾部品
【図１】
0003152916.tif 000003
【図２】
0003152916.tif 000004
【図３】
0003152916.tif 000005
【図４】
0003152916.tif 000006
【図５】
0003152916.tif 000007
【図６】
0003152916.tif 000008
【図７】
0003152916.tif 000009
【図８】
0003152916.tif 000010
【図９】
0003152916.tif 000011
【図１０】
0003152916.tif 000012
【手続補正書】
【提出日】平成21年6月12日(2009.6.12)
【手続補正１】
【補正対象書類名】実用新案登録請求の範囲
【補正対象項目名】請求項１
【補正方法】変更
【補正の内容】
【請求項１】
座体、背もたれ体、肘掛体を備え、
前記座体は、座フレーム、座弾性部品、外座カバー、内座カバーを備え、
前記座弾性部品は、前記座フレームの頂点面に定位され、
前記座弾性部品は、外フレーム内には、数個のバネを接続し、
前記座フレーム上方には、座発泡弾性部品を設置し、前記内座カバーにより、前記座フレーム、前記座発泡弾性部品を覆い、さらに前記外座カバーにより覆い、
前記背もたれ体前上方には、背発泡弾性部を設置し、内背カバーにより背フレームと前記背もたれ体を覆い、さらに外背カバーにより覆い、これにより、前記外座カバーと前記外背カバーは交換可能となり、
前記背フレームの両側には、少なくとも１個のオス嵌合部品を設置し、各肘掛体は、前記座体と前記背もたれ体両側に接続し、
前記肘掛体は、肘掛フレーム、外肘掛カバー、内肘掛カバーを備え、
前記肘掛フレーム内の表面に近い底端には、数個のＬ字型受止部品を設置し、数個の受止部品は、前記座フレームを嵌設して定位し、また前記数個の受止部品は、前記背フレームを嵌設して定位し、
前記肘掛体の肘掛フレーム上には、少なくとも１個のオス嵌合部品を接続し、
前記背もたれ体両側に対応して設置されるメス嵌合部品は、前記肘掛体のオス嵌合部品を嵌設、
前記肘掛フレーム外側は先ず内肘掛カバーにより覆い、次に外肘掛カバーにより覆い、こうして外肘掛カバーは交換可能となることを特徴とする組合せ式ソファー。